(57)【要約】【課題】  台座が安価な構造で傾かないようにすること。【解決手段】  表示面１ａを備えた装置本体１を支持する台座２に、筒状外壁部３と該外壁部３内に格子状に配置した内壁部４とを有する複数の脚柱２Ａが所定間隔をおいて一体突設され、その各脚柱２Ａの下面に弾性シート７が配置されており、その弾性シート７を介して台座２が載置面９に載置されるようにした表示装置において、前記各脚柱２Ａの下面と弾性シートとの間に硬質シート１３が介在されており、その硬質シート１３により弾性シート７が各脚柱２Ａの外壁部３と内壁部４との間の空隙１１内に押し込まれないようにした。【選択図】        図１
2008292528.tif 000002
【特許請求の範囲】
【請求項１】
表示面を備えた装置本体を支持する台座に、筒状外壁部と該外壁部内に格子状に配置し
た内壁部とを有する複数の脚柱が所定間隔をおいて一体突設され、その各脚柱の下面に弾
性シートが配置されており、その弾性シートを介して台座が載置面に載置されるようにし
た表示装置において、前記各脚柱の下面に弾性シート支持部材が配置されており、その弾
性シート支持部材により弾性シートが各脚柱の外壁部と内壁部との間の空隙内に押し込ま
れないようにしたことを特徴とする表示装置。
【請求項２】
前記弾性シート支持部材が、前記弾性シートと同形またはわずかに小さい硬質シートか
らなり、該硬質シートを各脚柱の下面と弾性シートとの間に介在させており、その硬質シ
ートにより弾性シートが各脚柱の外壁部と内壁部との間の空隙内に押し込まれないように
したことを特徴とする請求項１に記載の表示装置。
【請求項３】
前記弾性シート支持部材が、前記外壁部の内径よりも小径の硬質リングからなり、該硬
質リングを前記内壁部の下面に形成した凹溝に嵌入させており、その硬質リングにより弾
性シートが各脚柱の外壁部と内壁部との間の空隙内に押し込まれないようにしたことを特
徴とする請求項１に記載の表示装置。
【請求項４】
表示面を備えた装置本体を支持する台座に、筒状外壁部と該外壁部内に格子状に配置し
た内壁部とを有する複数の脚柱が所定間隔をおいて一体突設され、前記外壁部が円形に形
成されると共に、該外壁部の下面内周縁を削除して環状凹段部が形成され、前記内壁部が
、前記外壁部と同心状の円筒板と、該円筒板の外周面から外壁部の内周面にかけて放射状
に配置した複数の放射板とを有し、該各放射板及び円筒板の下面を前記環状凹段部の下面
と面一状に形成することにより、各脚柱の下面に平面視円形の空間からなるシート収納部
が形成されており、その各脚柱のシート収納部に円形状弾性シートが配置されており、そ
の弾性シートを介して台座が載置面に載置されるようにした表示装置において、前記外壁
部の内径よりも小さくて前記円筒板の外径よりも大きい径の硬質リングを有し、該硬質リ
ングを前記各放射板の下面に形成した凹溝に嵌入させることにより、その硬質リングを外
壁部と円筒板との間の中央に同心状に位置決めすると共に、その硬質リングの下面を前記
各放射板の下面と面一状にしており、その硬質リングにより弾性シートが各脚柱の外壁部
と内壁部との間の空隙内に押し込まれないようにしたことを特徴とする表示装置。
【発明の詳細な説明】
【技術分野】
【０００１】
本発明は、例えは液晶テレビや液晶モニターなどの表示装置に関し、特に、台座が安価
な構造で傾かないようにしたものである。
【背景技術】
【０００２】
表示装置の一例として図６の斜視図に示すものがある。これは、液晶テレビであって、
表示面１ａを備えた装置本体１が台座２で支持されている。
【０００３】
従来、前記表示装置として図７〜図１０に示すものがあり、図７は同一部切欠き側面図
、図８は同台座の下面図、図９は同台座の要部を示す分解斜視図、図１０は同要部の縦断
面図である。
【０００４】
図７〜図９に示すように、台座２に、筒状外壁部３と該外壁部３内に格子状に配置した
内壁部４とを有する複数（この例では６本）の脚柱２Ａが所定間隔をおいて一体突設され
、前記外壁部３が円形に形成されると共に、該外壁部３の下面内周縁を削除して環状凹段
部５が形成され、前記内壁部４が、前記外壁部３と同心状の円筒板４ａと、該円筒板４ａ
の外周面から外壁部３の内周面にかけて放射状に配置した複数（この例では８枚）の放射
板４ｂとを有し、該各放射板４ｂ及び円筒板４ａの下面を前記環状凹段部５の下面と面一
状に形成することにより、各脚柱２Ａの下面に平面視円形の空間からなるシート収納部２
ａが形成されており、その各脚柱２Ａのシート収納部２ａにゴムなどからなる円形平板薄
肉状弾性シート７が両面接着テープ８を介して貼着されており、その弾性シート７を介し
て台座２がテーブルなどの載置面９に載置されている。なお、図７中、１０は装置本体１
を台座２に連結してその装置本体１を前後方向に首振り可能に支持するヒンジ装置である
。なお、関連する技術として特許文献１に記載したものがある。
【特許文献１】実用新案登録第３１２８９６９号公報
【発明の開示】
【発明が解決しようとする課題】
【０００５】
上記従来の構成では、弾性シート７を製作するにあたって、ゴムシートをプレス機で円
形に打ち抜くだけで、その弾性シート７を安価に大量生産することができ、大幅なコスト
ダウンを図ることができるという利点がある。
【０００６】
しかし、弾性シート７が平板薄肉状であるから、例えば図７に示すように装置本体１が
上向き傾斜状になって、その装置本体１の重心が後方にあると、各脚柱２Ａのうちの最後
方の脚柱２Ａの弾性シート７が載置面９に強く押しつけられて、図７の拡大図に仮想線Ａ
で示すように、弾性シート７が外壁部３と内壁部４との間の空隙１１内に押し込まれるこ
とがあり、その結果、図１０に示すように、台座２の後部が下向き方向Ｂに沈んで、脚柱
２Ａの下端縁２ｂが載置面９に接触することになるため、台座２が傾いて不安定になると
共に、載置面９が接触する脚柱２Ａの下端縁２ｂにより傷付けられるおそれもある。
【０００７】
また、特許文献１によれば、特殊形状のゴム脚を用いており、これでは、そのゴム脚の
製作費が高くつくという欠点がある。
【０００８】
本発明は、上記従来の欠点に鑑み、台座が安価な構造で傾かないようにした表示装置を
提供することを目的としている。
【課題を解決するための手段】
【０００９】
上記目的を達成するため、請求項１に記載の発明は、表示面を備えた装置本体を支持す
る台座に、筒状外壁部と該外壁部内に格子状に配置した内壁部とを有する複数の脚柱が所
定間隔をおいて一体突設され、その各脚柱の下面に弾性シートが配置されており、その弾
性シートを介して台座が載置面に載置されるようにした表示装置において、前記各脚柱の
下面に弾性シート支持部材が配置されており、その弾性シート支持部材により弾性シート
が各脚柱の外壁部と内壁部との間の空隙内に押し込まれないようにしたことを特徴として
いる。
【００１０】
請求項２記載の発明は、請求項１に記載の発明において、前記弾性シート支持部材が、
前記弾性シートと同形またはわずかに小さい硬質シートからなり、該硬質シートを各脚柱
の下面と弾性シートとの間に介在させており、その硬質シートにより弾性シートが各脚柱
の外壁部と内壁部との間の空隙内に押し込まれないようにしたことを特徴としている。
【００１１】
請求項３に移載の発明は、請求項１に記載の発明において、前記弾性シート支持部材が
、前記外壁部の内径よりも小径の硬質リングからなり、該硬質リングを前記内壁部の下面
に形成した凹溝に嵌入させており、その硬質リングにより弾性シートが各脚柱の外壁部と
内壁部との間の空隙内に押し込まれないようにしたことを特徴としている。
【００１２】
請求項４に記載の発明は、表示面を備えた装置本体を支持する台座に、筒状外壁部と該
外壁部内に格子状に配置した内壁部とを有する複数の脚柱が所定間隔をおいて一体突設さ
れ、前記外壁部が円形に形成されると共に、該外壁部の下面内周縁を削除して環状凹段部
が形成され、前記内壁部が、前記外壁部と同心状の円筒板と、該円筒板の外周面から外壁
部の内周面にかけて放射状に配置した複数の放射板とを有し、該各放射板及び円筒板の下
面を前記環状凹段部の下面と面一状に形成することにより、各脚柱の下面に平面視円形の
空間からなるシート収納部が形成されており、その各脚柱のシート収納部に円形状弾性シ
ートが配置されており、その弾性シートを介して台座が載置面に載置されるようにした表
示装置において、前記外壁部の内径よりも小さくて前記円筒板の外径よりも大きい径の硬
質リングを有し、該硬質リングを前記各放射板の下面に形成した凹溝に嵌入させることに
より、その硬質リングを外壁部と円筒板との間の中央に同心状に位置決めすると共に、そ
の硬質リングの下面を前記各放射板の下面と面一状にしており、その硬質リングにより弾
性シートが各脚柱の外壁部と内壁部との間の空隙内に押し込まれないようにしたことを特
徴としている。
【発明の効果】
【００１３】
請求項１に記載の発明によれば、例えば装置本体が上向き傾斜状になって、その装置本
体の重心が後方に移されることにより、各脚柱のうちの最後方の脚柱の弾性シートが載置
面に強く押しつけられたとしても、その強く押しつけられた弾性シートが脚柱の空隙内に
押し込まれるのを弾性シート支持部材で阻止するから、台座の後部が従来のように沈むこ
とがなく、その台座を水平状態で安定させて装置本体を確実に支持することができる共に
、従来のように脚柱の下端縁で載置面が傷付けられることもなく、使い勝手がよい。
【００１４】
また、弾性シートとして、例えばゴムシートをプレス機で円形に打ち抜いて大量生産し
たものを使用することにより、大幅なコストダウンを図ることができる。
【００１５】
請求項２に記載の発明によれば、弾性シート支持部材として弾性シートと同形またはわ
ずかに小さい硬質シートが用いられているから、例えば硬質合成樹脂シートをプレス機で
円形に打ち抜くことにより、その硬質シートを安価に大量生産することができる。
【００１６】
請求項３に記載の発明によれば、弾性シート支持部材として外壁部の内径よりも小径の
硬質リングが用いられているから、例えば硬質合成樹脂シートをプレス機でリング状に打
ち抜くことにより、その硬質リングを安価に大量生産することができ、しかも、硬質リン
グを凹溝に嵌入させて係止するようになっており、その硬質リングを係止するための両面
接着テープなどの係止手段が不要であるから、その不要となった分だけコストダウンを図
ることができる。
【００１７】
請求項４に記載の発明は第２の実施の形態（図３〜図５参照）に対応するものであって
、これによれば、例えば装置本体が上向き傾斜状になって、その装置本体の重心が後方に
移されることにより、各脚柱のうちの最後方の脚柱の弾性シートが載置面に強く押しつけ
られたとしても、その強く押しつけられた弾性シートが脚柱の空隙内に押し込まれるのを
硬質リングで阻止するから、台座の後部が従来のように沈むことがなく、その台座を水平
状態で安定させて装置本体を確実に支持することができる共に、従来のように脚柱の下端
縁で載置面が傷付けられることもなく、使い勝手がよい。
【００１８】
また、弾性シートとして、例えばゴムシートをプレス機で円形に打ち抜いて大量生産し
たものを使用することにより、大幅なコストダウンを図ることができる。
【００１９】
更に、例えば硬質合成樹脂シートをプレス機でリング状に打ち抜くことにより、その硬
質リングを安価に大量生産することができ、しかも、硬質リングを凹溝に嵌入させて係止
するようになっており、その硬質リングを係止するための両面接着テープなどの係止手段
が不要であるから、その不要となった分だけコストダウンを図ることができる。
【発明を実施するための最良の形態】
【００２０】
図１及び図２は本発明の第１の実施の形態である表示装置を示すものであって、図１は
同一部切欠き側面図、図２は同台座の要部を示す分解斜視図である。
【００２１】
図１及び図２に示すように、弾性シート７と同形またはわずかに小さい硬質合成樹脂か
らなる硬質シート（弾性シート支持部材）１３が用いられている。上記以外の構成は図６
〜図１０に示す構成とほぼ同じであるから、同一部分に同一符号を付してその説明を省略
する。
【００２２】
弾性シート７の取付手順を説明すると、硬質シート１３を両面接着テープ８を介して各
脚柱２Ａのシート収納部２ａ内に貼着し、その硬質シート１３に両面接着テープ８を介し
て弾性シート７を貼着する。
【００２３】
上記構成によれば、例えば装置本体１が上向き傾斜状になって、その装置本体１の重心
が後方に移されることにより、各脚柱２Ａのうちの最後方の脚柱２Ａの弾性シート７が載
置面９に強く押しつけられたとしても、その強く押しつけられた弾性シート７が脚柱２Ａ
の空隙１１内に押し込まれるのを硬質シート１３で阻止するから、台座２の後部が従来の
ように沈むことがなく、その台座２を水平状態で安定させて装置本体１を確実に支持する
ことができる共に、従来のように脚柱２Ａの下端縁２ｂにより載置面９が傷付けられるこ
ともなく、使い勝手がよい。
【００２４】
また、弾性シート７として、例えばゴムシートをプレス機で円形に打ち抜いて大量生産
したものを使用することにより、大幅なコストダウンを図ることができる。
【００２５】
更に、例えば硬質合成樹脂シートをプレス機で円形に打ち抜くことにより、硬質シート
１３を安価に大量生産することができる。
【００２６】
図３〜図５は本発明の第２の実施の形態である表示装置を示すものであって、図３は同
一部切欠き側面図、図４は同台座の要部を示す分解斜視図、図５は同要部の分解下面図で
ある。
【００２７】
図３〜図５を示すように、外壁部３の内径ｄ１よりも小さくて前記円筒板４ａの外径ｄ
２よりも大きい径ｄ３の硬質合成樹脂からなる硬質リング（弾性シート支持部材）１５を
有し、各放射板４ｂの下面に硬質リング１５を嵌入させるための凹溝１６が形成されてい
る。上記以外の構成は図１及び図２に示す構成とほぼ同じであるから、同一部分に同一符
号を付してその説明を省略する。
【００２８】
弾性シート７の取付手順を説明すると、硬質リング１５を各凹溝１６に嵌入させること
により、該硬質リング１５を外壁部３と円筒板４ａとの間の中央に同心状に位置決めし、
その硬質リング１５の下面を各放射板４ｂの下面と面一状にする。次に、弾性シート７を
両面接着テープ８を介して各脚柱２Ａのシート収納部２ａ内に貼着する。
【００２９】
上記構成によれば、第１の実施の形態（図１及び図２参照）とほぼ同じ効果を得ること
ができ、特に、例えば硬質合成樹脂シートをプレス機でリング状に打ち抜くことにより、
硬質リング１５を安価に大量生産することができ、しかも、硬質リング１５を凹溝１６に
嵌入させて係止するようになっており、その硬質リング１５を係止するための両面接着テ
ープなどの係止手段が不要であるから、その不要となった分だけコストダウンを図ること
ができる。
【図面の簡単な説明】
【００３０】
【図１】本発明の第１の実施の形態である表示装置を示す一部切欠き側面図である。
【図２】同台座の要部を示す分解斜視図である。
【図３】本発明の第２の実施の形態である表示装置を示す一部切欠き側面図である。
【図４】同台座の要部を示す分解斜視図である。
【図５】同要部の分解下面図である。
【図６】表示装置の一例を示す斜視図である。
【図７】従来例を示す一部切欠き側面図である。
【図８】同台座の下面図である。
【図９】同台座の要部を示す分解斜視図である。
【図１０】同要部の縦断面図である。
【符号の説明】
【００３１】
１            装置本体
１ａ          表示面
２            台座
２Ａ          脚柱
２ａ          シート収納部
３            外壁部
４            内壁部
４ａ          円筒板
４ｂ          放射板
７            弾性シート
９            載置面
１１          空隙
１３          硬質シート（弾性シート支持部材）
１５          硬質リング（弾性シート支持部材）
１６          凹溝
【図１】
2008292528.tif 000003
【図２】
2008292528.tif 000004
【図３】
2008292528.tif 000005
【図４】
2008292528.tif 000006
【図５】
2008292528.tif 000007
【図６】
2008292528.tif 000008
【図７】
2008292528.tif 000009
【図８】
2008292528.tif 000010
【図９】
2008292528.tif 000011
【図１０】
2008292528.tif 000012